(57)【要約】本発明は、無線通信網内で通信する方法と設備に関する。この無線通信網の場合、通信経路を通じて受信される通信情報が、固定通信装置とに接続中に持ち運び可能な通信機器に対して出力される。本発明の課題は、受信される通信情報の表示を改良することにある。この課題は、通信情報がデジタル化されたビデオ情報及びオーディオ情報の形態で送信されること、及び持ち運び可能な通信機器が第２固定通信装置に接続され、通信情報の少なくとも一部が、この第２固定通信装置に対して送信され、そこで出力されることによって解決される。
2004538740.tif 000002
【特許請求の範囲】
【請求項１】
無線通信網内で通信する方法にあって、この方法の場合、持ち運び可能な通信機器が、接続中に第１通信網の構成要素であり、かつ第１情報幅を有する第１無線通信経路を通じて固定通信装置に接続され、この通信経路を通じて受信される通信情報が、この持ち運び可能な通信機器に対して出力される方法において、通信情報が、第１情報幅を有するデジタル化されたビデオ情報及びオーディオ情報の形態で送信されること、及び、持ち運び可能な通信機器（１）が、第２情報幅を有する第２無線通信経路（１２）を介して第２固定通信装置（１０）に接続され、通信情報の少なくとも一部が、この持ち運び可能な通信機器（１）に対して送信され、そして第２固定通信装置（１０）に対して出力され、この場合、第２情報幅が、第１情報幅に少なくとも等しいことを特徴とする方法。
【請求項２】
通信情報は、オーディオ情報とビデオ情報から成ること、及び、オーディオ情報及び／又はビデオ情報が、第２固定通信装置（１０）に対して送信され、そこで出力されることを特徴とする請求項１に記載の方法。
【請求項３】
第２通信経路（１２）は、第２通信網（１４）の構成要素であることを特徴とする請求項１又は２に記載の方法。
【請求項４】
第２情報幅は、第１情報幅以上であること、及び、受信される通信情報が、持ち運び可能な通信機器（１）内で第２通信経路（１２）の送信フォーマットに変換されることを特徴とする請求項３に記載の方法。
【請求項５】
持ち運び可能な通信機器（１）は、第２固定通信装置（１０）の範囲内に到達したときに、この持ち運び可能な通信機器（１）が、この第２固定通信装置（１０）に自動的に接続されることを特徴とする請求項１〜４のいずれか１項に記載の方法。
【請求項６】
持ち運び可能な通信機器と第１通信固定装置とを有する無線通信網内で通信する設備にあって、この無線通信網は、第１送受信ユニット及び少なくとも１つの第１情報出力ユニットを有し、この第１固定通信装置は、第１通信網の構成要素であり、かつ第２送受信ユニットを有し、この第２送受信ユニットは、第１送受信ユニットと交信する設備において、第２固定通信装置（１０）が設けられていて、この第２固定通信装置（１０）は、第２情報出力ユニット（１３）及び受信ユニット（１１）を有すること、及び、この持ち運び可能な通信機器は、受信ユニット（１１）と交信する送信ユニット（８）及び第２送受信ユニット（６）と送信ユニット（８）との間のインターフェース（９）を有することを特徴とする設備。
【請求項７】
第１Ｗ−ＬＡＮインターフェースが、持ち運び可能な通信機器（１）内に組込まれていて、この第１Ｗ−ＬＡＮインターフェースは、第２固定通信装置（１０）内の第２Ｗ−ＬＡＮインターフェースと交信することを特徴とする請求項６に記載の設備。
【請求項８】
第２固定通信装置（１０）は、第２通信網（１４）の構成要素であることを特徴とする請求項６又は７に記載の設備。
【請求項９】
第１情報出力ユニット（７）は、第１画面を有し、第２情報出力ユニット（１３）は、第２画面を有し、この場合、この第２画面は、第１画面よりも大きいことを特徴とする請求項６〜８のいずれか１項に記載の設備。
【請求項１０】
送信ユニット（８）は、第３送受信ユニットの構成要素であり、受信ユニット（１１）は、第４送受信ユニットの構成要素であることを特徴とする請求項６〜９のいずれか１項に記載の設備。
【発明の詳細な説明】
【技術分野】
【０００１】
本発明は、無線通信網内で通信する方法に関する。この方法の場合、持ち運び可能な通信機器が、接続中に第１通信網の構成要素であり、かつ第１情報幅を有する第１無線通信経路を通じて固定通信装置に接続される。この通信経路を通じて受信される通信情報が、この持ち運び可能な通信機器に対して出力される。
【０００２】
本発明は、持ち運び可能な通信機器と第１通信固定装置とを有する無線通信網内で通信する設備に関する。この無線通信網は、第１送受信ユニット及び少なくとも１つの第１情報出力ユニットを有する。この第１固定通信装置は、第１通信網の構成要素であり、かつ第２送受信ユニットを有する。この第２送受信ユニットは、第１送受信ユニットと交信する。
【背景技術】
【０００３】
冒頭で述べた設備及び付随する方法は、一般に公知の無線電話網から公知である。この場合、持ち運び可能な通信機器が、接続中に無線電話網の構成要素である第１無線通信経路を通じて固定通信装置、例えばトランスポンダに接続される。この場合に実現される情報幅は、通話情報，ビデオ情報又は文書情報を伝達するのに十分である。通信情報、すなわち通話情報，ビデオ情報及び文書情報が、持ち運び可能な通信機器に対して出力される。これらの通信情報は、通信経路を通じて受信される。
【０００４】
無線電話又は類似の通信機器に依存すない操作に対しては、通信情報が無線経路でより容易に携行可能な第２通信機器に送信されることが商標「ブルートゥース」の下で公知である。この通信機器は、例えば頭に装着され得る。これによって、無線電話に関係なく通話することが可能になる。
【０００５】
さらに、無線構内情報通信網（W-LAN = wireless local area network ）を固定無線アクセス（FWA = fixed wireless access ）によって構成することが、敷設された構内情報通信網（LAN = local area network）の使用に対して公知である。この場合、マイクロ波領域内の通信情報が、通信機器間で送信される。構内情報通信網を別の通信網、例えば無線広域通信網（W-WAN = wireless wide area network）に接続することが公知でない。またＦＡＷ法には、帯域幅が比較的狭いこと及びネット加入者間の擬似視覚通信が必要であるといった欠点がある。
【０００６】
Ｗ−ＷＡＮの構成が特に新規のコード化技術によって大規模になるにつれて、オーディオ情報に加えてビデオ情報を送信することが可能になる。このビデオ情報は、ディスプレイ内に表示され得る。したがって、例えばビデオ会議が、ハンディで可能である。この場合、ディスプレイが−ハンディの大きさのために−多くの場合にかなり小さく、分解能が低いことが欠点である。したがって、ビデオ情報の表示が分かりにくい。
【発明の開示】
【発明が解決しようとする課題】
【０００７】
本発明の課題は、受信される通信情報の表示を改良することにある。
【課題を解決するための手段】
【０００８】
この課題は、方法に関してはデジタル化されたビデオ情報とオーディオ情報の形態の通信情報が第１情報幅で送信されることによって解決される。持ち運び可能な通信機器が、第２情報幅を有する第２無線通信経路を通じて第２固定通信装置に接続される。通信情報の少なくとも一部が、第２固定通信装置に送信されそこで出力される。この場合、第２情報幅は、第１情報幅と少なくとも等しい。
【０００９】
一方で、例えばＣＤＭＡ（符号分割多重アクセス方式）にしたがって働く通信網内の膨大な量のデータを非常に広い帯域幅で送信することが可能である。情報が大量であるために、この情報は、持ち運び可能な通信機器上に表示できないか又は不完全にしか表示できない。例えばビデオがハンディに対して送信される場合、これらのビデオがハンディの比較的小さいディスプレイ上で不完全にしか再生されない。持ち運び可能な通信機器が第２固定通信装置に接続されていることによって、例えばこのビデオ情報が、ハンディから大きい画面上に表示できる。第２情報幅が第１情報幅と少なくとも等しいので、全情報が表示される。
【００１０】
方法の構成では、通信情報がオーディオ情報とビデオ情報から構成されること、及び、オーディオ情報及び／又はビデオ情報が第２固定通信装置に対して送信されそこで出力されることが提唱されている。
【００１１】
この場合、出力方式間でオーディオ，ビデオ，ビデオ及びオーディオを区別することが可能である。したがって、再生も、ステレオ・サラウンド録音付きのフィルムによって可能になる。
【００１２】
方法のもう１つの構成では、第２通信経路が第２通信網の構成要素であることが提唱されている。
【００１３】
ＬＡＮが存在する場合、受信される通信情報を通信網内に直接送信することが目的に合わせて可能である。ＬＡＮが接続されている場合、このことは、第２固定通信装置が同様にＬＡＮ内の加入者であることによって実施される。したがって、持ち運び可能な通信機器から第２通信経路に無線で送信された情報が、第２固定通信装置によって受信され、ＬＡＮに対してさらに送られ得る。
【００１４】
同様な方法が、Ｗ−ＬＡＮでも当然に実現され得る。ここでは、持ち運び可能な通信機器が直接Ｗ−ＬＡＮ内の加入者になり、通信情報がＷ−ＬＡＮを通じて第２固定通信装置に対して送信される。
【００１５】
第２情報幅が第１情報幅以下であること、及び、受信される通信情報が持ち運び可能な通信機器内で第２通信経路の送信フォーマットに変換されることによっても、この方法は実施される。
【００１６】
したがって、通信情報が、持ち運び可能な通信機器内で評価される。ここでは、いろいろな動作が可能である。すなわち、持ち運び可能な通信機器が、例えば僅かな第１データ幅で着信したデータを一時記憶し、そしてより大きい第２データ幅で再送信できる。一般に第１通信経路と第２通信経路のプロトコルが区別されるので、通信情報を変換することも目的に合う。したがって、全ての方法が、このようないろいろなプロトコルに対しても利用可能である。
【００１７】
持ち運び可能な通信機器が第２固定通信装置の範囲内に到達したときに、この持ち運び可能な通信機器がこの第２固定通信装置に自動的に接続されるように、方法を構成することがさらに可能である。
【００１８】
これによって、第１通信経路の動作が、第１通信経路と第２通信経路の動作に自動的に変換される。例えばハンディがビデオ会議に接続した場合、そのユーザは、第２通信経路の有効範囲内に行き、ビデオ会議が、通信接続の継続時に大きいモニター、例えば壁に掛けられた画面上でそこで続行される。
【００１９】
本発明の課題は、設備にあっては、第２情報出力ユニット及び受信ユニットを有する第２固定通信装置が設けられていること、及び、持ち運び可能な通信機器が受信ユニットと交信する送信ユニット及び第２送受信ユニットと送信ユニットとの間のインターフェースを有することによって解決される。
【００２０】
持ち運び可能な通信機器は、第１送受信ユニットに加えて少なくとも１つの追加の送信ユニットも有する。このとき、通信情報が、第１通信経路で受信され、インターフェースを介して送信ユニットに送られる。次いで、この送信ユニットは、この通信情報を固定通信装置内の受信ユニットに対して送信される。次いで、この通信情報は、例えば第１情報出力ユニット上に出力され得るのに加えて、第２情報出力ユニット上に出力され得る。
【００２１】
この設備の好適な構成では、第１Ｗ−ＬＡＮインターフェースを持ち運び可能な通信機器内に組込むことが提唱されている。この第１Ｗ−ＬＡＮインターフェースは、第２固定通信装置内の第２Ｗ−ＬＡＮインターフェースと交信する。
【００２２】
このようなＷ−ＬＡＮインターフェースは、より小さい持ち運び可能な通信機器内に物理的に非常に良好に組込むことができる大きさで実現可能である。必要なエネルギーを準備するときでも問題がない。
【００２３】
本発明の設備は、第２固定通信装置が第２通信網の構成要素であることによってさらに改良され得る。
【００２４】
したがって、持ち運び可能な通信機器自体が、例えばＷ−ＬＡＮ内の加入者になり得る。
【００２５】
本発明のもう１つの構成は、情報出力ユニットが第１画面を有することを特徴とする。この場合、第２画面がこの第１画面よりも大きい。
【００２６】
ビデオ情報の送信が遥かに容易になる。
【００２７】
最後に、設備は、送信ユニットが第３送受信ユニットの構成要素であり、受信ユニットが第４送受信ユニットの構成要素であることによってさらに改良される。
【００２８】
この構成によって、第２通信チャネルが通信情報を第２固定通信装置に送信するためだけに利用されるのではなくて、通信情報を第１情報出力ユニットに送信するためにも利用されることが可能になる。すなわち、マイクロフォンが、例えば会議室内に設置され得る。音声が、このマイクロフォンによって入力される。次いで、この音声は、第２通信経路を通じて持ち運び可能な通信機器に転送される。
【００２９】
以下に、本発明を実施の形態に基づいて詳しく説明する。図は、本発明の原理を示す。
【発明を実施するための最良の形態】
【００３０】
この実施の形態では、持ち運び可能な通信機器１がハンディとして構成されている。この持ち運び可能な通信機器１は、第１通信経路３を介して第１固定通信装置２に接続されている。この第１固定通信装置２は、第１通信網４の構成要素である。この場合では、Ｗ−ＬＡＮとして構成された無線電話網である。
【００３１】
ビデオ会議が、第１固定通信装置２と持ち運び可能な通信機器１との間で切り替えられている。すなわち、オーディオデータ及びビデオデータが、第１通信経路３を通じて交換される。そのため、第１固定通信装置２内の第１送受信ユニット５が、持ち運び可能な通信機器１内の第２送受信ユニット６に接続している。この場合、ビデオ情報が、持ち運び可能な通信機器１内の第１情報出力ユニット７上に確かにほとんど満足のいかない大きさと品質で表示される。
【００３２】
送信ユニット８が、持ち運び可能な通信機器１内に同様に配置されている。この送信ユニット８は、インターフェース９を介して第２送受信ユニット６に接続されている。これによって、第２送受信ユニット６によって受信される通信情報が、送信ユニット８に対して転送され得る。
【００３３】
第２固定通信装置１０も、この設備内に設けられている。この第２固定通信装置１０は、受信ユニット１１を有する。
【００３４】
送信ユニット８は、通信情報を第２通信経路１２を介して受信ユニット１１に送信する。この場合、この通信情報は、インターフェース９内で第２通信経路１２内のプロトコルに一致するフォーマットに変換される。
【００３５】
第２情報出力ユニット１３が、第２固定通信装置１０内に配置されている。このとき、通信情報が、より良好な大きさと品質でこの第２情報出力ユニット１３上に出力される。この第２情報出力ユニット１０は、壁面に固定されたステレオ・オーディオ再生システムを備えた大きいプラズマディスプレイである。これに対して、受信ユニット１１が、第２固定通信ユニット１０内で受信ユニット１１に適切に接続されている。
【００３６】
第２固定通信装置１０は、第２通信網１４の構成要素である。この場合、持ち運び可能な通信機器１が第２通信網１４の受信領域内に来たときに、接続が第２通信経路１２内で構築される。したがって、ビデオ会議をほとんどより良好な品質で実現できるようにするため、人が、第１通信経路３を通じて構築される接続中に第２通信網１４の受信範囲内に入り込むことができる。
【図面の簡単な説明】
【００３７】
【図１】本発明の原理を示す。
【符号の説明】
【００３８】
１  持ち運び可能な通信機器
２  第１固定通信設備
３  第１通信経路
４  第１通信網
５  第１送受信ユニット
６  第２送受信ユニット
７  第１情報出力ユニット
８  送信ユニット
９  インターフェース
１０  第２固定通信設備
１１  受信ユニット
１２  第２通信経路
１３  第２情報出力ユニット
１４  第２通信網
【国際公開パンフレット】
2004538740.tif 000003
2004538740.tif 000004
2004538740.tif 000005
2004538740.tif 000006
2004538740.tif 000007
2004538740.tif 000008
2004538740.tif 000009
2004538740.tif 000010
2004538740.tif 000011
2004538740.tif 000012
2004538740.tif 000013
2004538740.tif 000014
2004538740.tif 000015
2004538740.tif 000016
【国際公開パンフレット（コレクトバージョン）】
2004538740.tif 000017
2004538740.tif 000018
【国際調査報告】
2004538740.tif 000019
2004538740.tif 000020
2004538740.tif 000021
2004538740.tif 000022
2004538740.tif 000023
2004538740.tif 000024